(57)【特許請求の範囲】
【請求項１】
袋体は、柔軟あるいは半硬質の材質からなるシート体で形成し、複数の側面部と複数のダーツと底面部から形成し、側面部の隣り合う辺同士を縫合または接着で結合させ、この結合部の一方を開口部、他方をダーツとし開口部から側面部の辺、ダーツの始まりを介しダーツ止まりまで同一線に結合して、複数のダーツ止まりで囲んだ第１の境が複数のダーツ始まりで囲んだ第２の境より小さく内側に形成された袋底を形成するダーツの構造を有することを特徴とする袋体。
【請求項２】
袋体の側面部の結合部に側面部を拡張した面で、ポケットあるいは筒部を形成することを特徴とする請求項１記載の袋体。
【発明の詳細な説明】
【技術分野】
【０００１】
本発明は袋体のダーツと袋底に関するものである。          
【背景技術】
【０００２】
従来のトートバッグ等の袋体は、箱型で側部とマチ部に囲まれた胴部は一方の端部が開口部で他方の端部は底部を形成しているが、柔軟な素材であった場合でもその底部と胴部との境は明瞭であり、従来の袋体を形成する技術には底面の部材を取り付け底部とする方法あるいは側面部と側面部を結合し、一方の端部が開口部で他方の端部をＴ字形に結合して側面部からマチ部と底部を形成する方法。また、底面を有さないバッグ、巾着袋等の袋物がある。袋物にダーツを使用する技術には袋体に凹凸、膨らみ等の起伏を形成する。また、寸法の異なる２枚のパーツを結合する方法にパーツの幅を狭く、あるいは広く変える等の場合である。特許文献１には少なくとも一つのダーツ１４を有し、ダーツ１４を手で押し曲げ凹んだ状態と膨らました状態を交互に選択できると記載されている。特許文献２には手提部と底縁部との間に凹状の打ち欠き部を設けたと記載されている。特許文献３には前本体部１５と後本体部１６とを備えて、上記前本体部１５と上記後本体部１６が粘着テープの接着により袋状をなすと記載されている。
【先行技術文献】
【特許文献】
【０００３】
【特許文献１】米国公開特許和文抄録公開番号２００４/００１７９５３
【特許文献２】特開平９−２０３４７号公報
【特許文献３】実用新案登録第３１５９０３４号公報
【発明の概要】
【発明が解決しようとする課題】
【０００４】
従来の袋体は底面の部材を取り付け底部とする方法あるいは側面部と側面部を結合し、一方の端部が開口部で他方の端部をＴ字形に結合して側面部からマチ部と底部を形成する方法。また、底面を有さないバッグ、巾着袋等の袋物がある。特許文献１のダーツは底面を形成する手段ではなくダーツ１４を手で押し曲げ凹んだ状態と膨らました状態を交互に選択できるバッグで、底部を形成する手段ではない。特許文献２では手提部と側縁部との間に凹状の打ち欠き部を設けたことで品物を収納するのが容易な包装袋であるので、打ち欠き部はダーツではなく底面の形成手段も異なる。特許文献３は手提げ袋の物品の荷重を直接に受ける袋本体の底部を一体に形成されたものであるので底面は形成されていない。本発明はこのような従来の問題を解決するものであり、これらの問題を解決して工程を単純にして効率よく製作できる袋体で、物品の大きさに応じて物品が底面部ホより大きく第２の境より小さい場合、物品が底面部の第１の境２２を越えて第２の境２３に至る位置までの間で袋体の底面部の第１の境をダーツがあいまいに袋底を形成し、袋底に物品が収まる袋体の構造を提供する。
【課題を解決するための手段】
【０００５】
袋体は、柔軟あるいは半硬質の材質からなるシート体で形成し、複数の側面部と複数のダーツと底面部から形成し、側面部の隣り合う辺同士を縫合または接着で結合させ、この結合部の一方を開口部、他方をダーツとし開口部から側面部の辺、ダーツの始まりを介しダーツ止まりまで同一線に結合して、複数のダーツ止まりで囲んだ第１の境が複数のダーツ始まりで囲んだ第２の境より小さく内側に形成された袋底を形成するダーツの構造を有することである。
【０００６】
袋体の開口部から側面部の辺を結合し、ダーツの始まりを介しダーツ止まりまで同一線に結合することである。
【０００７】
袋体の側面部の結合部に側面部を拡張した面で、ポケットあるいは筒部を形成することある。
【発明の効果】
【０００８】
側面部同士の結合とダーツの形成は、側面部の結合部を延長した同一線に形成するダーツとしたことで一工程の作業で効率よく底部を形成でき、工程数を減らし作業を単純にして効率よく袋物が製作できる。
【０００９】
複数のダーツ止まりで囲んだ底面部ホがあいまいな袋底を形成することで、袋体に収納する物品の大きさに応じて、物品が底面部ホより大きい場合は物品が底面の第１の境２２を越えて、ダーツ始まり点１０〜１７で囲まれた第２の境２３に至る位置に間で物品の大きさに応じた袋底が物品の大きさ形状により形成されて物品が収まる。
【図面の簡単な説明】
【００１０】
【図１】本発明の第一の実施例の袋体の展開図。
【図２】本発明の第一の実施例の斜視図。
【図３】本発明の第二の実施例の展開図。
【図４】本発明の第三の実施例の斜視図。
【図５】本発明の第四の実施例図２に持ち手を付けた斜視図。
【図６】本発明の第五の実施例の展開図。
【図７】本発明の第六の実施例の斜視図
【発明を実施するための形態】
【００１１】
本発明の袋体の構造の実施図を参照して説明する。
図１は発明の第一の実施例の袋体の展開図で、袋体１は柔軟あるいは、半硬質な布・革・紙・合成樹脂のシート体で形成し、図２の展開図１の側面部イ・ロ・ハ・ニの隣あう側面部の辺２と３・４と５・６と７・８と９を縫合・接着で結合する。側面部イ・ロ・ハ・二と底面部は収納する物品・デザイン・袋口の構造により、縫合・接着する位置・側面部の数・面積の構成を考慮して収納物品の収納・出し入れが容易になる袋体１を形成する。また、袋体の全体の面部、あるいは数箇所の面部の材質をそれぞれ別の材質に替えて強靭な面部とする。また、色を変えて識別認識力を高める。側面部イの辺２を開口部Ａの点２４からダーツ始まり点１０までを側面部ロの辺３を開口部Ｂの点２５からダーツ始まり点１１まで縫い合わせあるいは接着により結合する。さらに結合されたダーツ始まり点１０と点１１をダーツ止まり点１８まで結合し、ダーツを形成すると側面部イとロ点２４・点２５からダーツ止まり点１８まで結合部は同一線となる。側面部ロの開口部Ｂ辺４の点２６からダーツ始まり点１２までと側面部ハの辺５の点２７からダーツ始まり点１３までを結合して、結合したダーツ始まり点１２・１３とダーツ止まり点１９でダーツを形成する。側面部ハの辺６の開口部Ｃ点２８からダーツ始まり点１４までと側面部ニの辺７の開口部Ｄ点２９からダーツ始まり点１５までを結合して、結合したダーツ始まり点１４・１５とダーツ止まり点２０までダーツを形成する。側面部ニの辺８の開口部Ｄ点３０からダーツ始まり点１６と側面部イの辺９の開口部Ａ点３１をダーツ始まり１７までを結合し、結合したダーツ始まり１６・１７からダーツ止まり２１まで結合する。ダーツを形成する手段は、各一個所のダーツはダーツ始まりの２点間の長さとダーツ止りの長さで囲まれた３点間の三角形の形状と面積で、側面部が同形の場合でも底面部の形状が変化する。ダーツ止まりは底面部の方向に向き、ダーツ方向とダーツ始まりからダーツ止まりまでの長さが側面部と底面部を第１の境周縁を不明瞭にするのであいまいな袋底を形成する。ダーツ始まり二点とダーツ止まりの三点で囲った三角形のダーツは面Ｅ・Ｆ・Ｇ・Ｈの部材を面として図３・４使用しても、打ち欠いてできる切り取られた空間のダーツ図１・２で使用する場合でもダーツは同じあいまいな袋底を形成する。開口部点２４〜３１から側面部の辺３〜９とダーツ始まり点１０〜１７を介して、ダーツ止まり１８〜２１までのそれぞれの箇所は縫合あるいは接着により側面部同士の結合とダーツの形成が一工程の作業で効率よくあいまいな袋底を形成できる 。ダーツ止まり点１８，１９，２０，２１をつないで囲まれてできる側面部と底面部の境２２が底面部ホとなり、側面部と底面部の接合するあるいは側面部と底面部を一体とした第１の境２２の周縁付近は不明瞭部分となりあいまいな袋底を形成する。
【００１２】
図２は第一の実施例の斜視図で、開口部Ａ〜Ｄは底面部ホに対して広くなり物品の出し入れが容易である。        
【００１３】
図３は第二の実施例の展開図で、図３は袋体の底面部を円弧状に形成するパーツの配置を示した展開図で、ダーツ始まり１０〜１７を曲線で結び囲んだパーツで、丸みを帯びた曲線となることで円弧状の側面を形成する。側面部イの辺２と側面部ロの辺３を縫合あるいは接着で結合し、それに１０と１１を結合したダーツ始まりを介して結合し、ダーツ止まり１８まで一線に縫合・接着により形成する。ダーツはダーツ始まり１０・１１を結合して、ダーツ止まり１８までを縫合・接着をして、それぞれの各部も同様に縫合・接着をして袋体を形成する。図３のダーツ始まり１０〜１７で側面部イ・ロ・ハ・ニをそれぞれ切り離して底面部ホと一体の部材とし、底面を側面部と異なる部材で堅牢にする袋体。あるいはデザインの袋体としてもよい。
【００１４】
図４は第三の実施例の斜視図で、側面部の辺同士の縫合・接着とダーツの数を３個所に開口部周縁に巾着紐Ｊを通す手段を設けて袋体の利便性、デザインを向上させる図で、側面の辺同士の縫合または接着する箇所は収納物品、あるいはデザインにより形成し、袋体は複数の側面部と複数のダーツで側面部と底面部で形成し、第１の境２２はダーツ止りで囲まれた側面部と底面部の境界でダーツを形成することで第１の境は不明瞭になり底面部ホより面積の大きい物品を収納すると、物品が第１の底面部ホの境２２を超えて第２の境２３に至る位置までの間で、物品の安定する位置が袋底になって収納されるので袋底はあいまいに形成される。
【００１５】
図５は第四の実施例図２に持ち手を付けた斜視図で、袋体１に持ち手Ｉを取り付けた図で、袋口の開口部周縁または側面部に持ち手を取り付けるか、袋体側部の開口部周縁に手の入る持ち手穴をあけ、袋体の利便性・デザイン性を向上させる。
【００１６】
図６は第五の実施例の展開図で、図３の展開図の各側面部の両辺又は各側面部の１辺に拡張した面を設ける。拡張した面は使用する目的により幅・長さ拡張する面の数を決める。また拡張する面は袋体側面部の結合部にヘとト・チとリ・ヌとル・オとワを結合した一枚のシート体の部材を二つ折りにして側面部の結合部に同一に結合する、拡張した面はポケットあるいは筒部を形成する。
【００１７】
図７は第六の実施例の斜視図で、ダーツ止まりから開口部まで側面部の辺の結合部にポケットあるいは筒部を形成する。ダーツ始まりの２点の間を半分に折る折山または縫合・接着で結合し開口部方向に延長する。側面部イの辺２の開口部の点２４からダーツ始まり点１０と側面部ロの辺３の点２５からにダーツ始まりの間に側面部イと側面部ロを拡張してポッケを設ける。ポケットは側面部イ・ロ・ハ・ニの辺２と３・４と５・６と７・８と９と拡張した面ヘ・ト・チ・リ・ヌ・ル・オ・ワのそれぞれの各辺を結合してポケットを形成する。ポケットには折りたたみ傘・ペットボトル等を収納する。または袋体を植物栽培具として使用する場合は支柱立てとして使用するなど目的によってポケットあるいは筒部を形成する。
【産業上の利用可能性】
【００１８】
従来使用されている袋体に広く利用でき、工程数を減らし作業を単純にして効率よく利便性の良いデザインの袋物が製作できる。
【符号の説明】
【００１９】
１    袋体
イ〜二    側面部
２〜９    側面部の辺
１０〜１７  ダーツ始まり点
１８〜２１  ダーツ止り点
２２      第１の境
２３      第２の境
ホ        底面部
ヘ〜ワ    拡張した面
Ｅ〜Ｈ    ダーツ
Ａ〜Ｄ    開口部の辺
２４〜３１  開口部点
Ｉ      持ち手
Ｊ      巾着紐
【要約】
【課題】
工程数を減らし作業を単純にして効率よく製作できる袋物で、物品の大きさに応じて袋体のあいまいな袋底に物品が安定する位置に収まる袋体の構造を提供する。
【解決手段】
袋体は柔軟あるいは半硬質な布・不織布・革・紙・合成樹脂のシート体で形成して、側面部の隣り合う辺同士を縫合または接着で結合させた結合部は、一方が開口部で他方にダーツを形成し、その側面部同士の結合部を延長した複数のダーツ始まりで囲んだ第２の境と複数のダーツ止まりで囲んだ底面部の第１の境は、第２の境より小さく内側に形成される面でダーツが底面部の第１の境の周縁を不明瞭にし、あいまいな袋底を形成することである。
【選択図】  図１【図１】
0005750690.tif 000002
【図２】
0005750690.tif 000003
【図３】
0005750690.tif 000004
【図４】
0005750690.tif 000005
【図５】
0005750690.tif 000006
【図６】
0005750690.tif 000007
【図７】
0005750690.tif 000008